(57)【要約】【課題】安価な構成でオス端子とメス端子との確実な電気接触を確保することができるようにする。【解決手段】メス端子２ａの両板バネ部２０ｆ，２０ｇによる対向面２０ｆ１，２０ｇ１間の挿入路３が、直線状のオス端子１ａの挿入方向に対して交差するように傾斜して形成する。これにより、オス端子１ａのメス端子２ａへの接続時にオス端子１ａを挿入路３に沿うべく反り返らせるような板バネ部２０ｆ，２０ｇのバネ力がオス端子１ａにかかり、オス端子１ａの反りの反力がメス端子２ａの対向面２０ｆ１，２０ｇ１に作用し、メス端子２ａのバネ力とオス端子１ａの反力とが相俟って、より確実にメス端子１ａの対向面２０ｆ１，２０ｇ１でオス端子１ａを挟持することができ、メス端子２ａが低コストな箱型形状ではない形状であっても、安価な構成でオス端子１ａとメス端子２ａとの確実な電気接触を確保できる。【選択図】図１
2015076341.tif 000002
【特許請求の範囲】
【請求項１】
板バネにより形成される対向面を有するメス端子をコネクタハウジング内に備え、前記対向面間にオス端子が挿入されて前記オス端子を前記対向面間に挟持する電気コネクタにおいて、
前記対向面間の前記オス端子の挿入路が、直線状の前記オス端子の挿入方向に対して交差するように傾斜して形成されていることを特徴とする電気コネクタ。
【請求項２】
前記メス端子は、１枚の平板を折り曲げることにより、前記オス端子の挿入方向に直交する断面がコ字状を成すように形成されていることを特徴とする請求項１に記載の電気コネクタ。
【発明の詳細な説明】
【技術分野】
【０００１】
この発明は、板バネにより形成される対向面を有するメス端子をコネクタハウジング内に備え、メス端子の対向面間にオス端子が挿入されてオス端子を対向面間に挟持する電気コネクタに関する。
【背景技術】
【０００２】
従来の電気コネクタは、二重接点機能を成す上部および下部のばね接点端子が堅牢な箱型形状を有する本体内部に配置されて構成されている（例えば、特許文献１）。
【先行技術文献】
【特許文献】
【０００３】
【特許文献１】特開２００７−５２９５号公報（段落００１６および図１、図３参照）
【発明の概要】
【発明が解決しようとする課題】
【０００４】
しかし、この種の電気コネクタを車両に使用する場合、搭載場所によっては振動が大きく、高低温などの複合環境下での信頼性が求められるため、上記した従来構造の電気コネクタでは、オス端子とメス端子との確実な電気接触を確保する観点からメス端子を堅牢な箱型形状にしており、必然的にコストが高くなる。
【０００５】
一方、同じ車両でも、ルームランプ等に使用するコネクタでは、上記したような厳しい複合環境で使用されるわけではないので、メス端子の構造として上記した箱型形状を採用しなければコストは低減できる反面、箱型形状ではないメス端子の電気コネクタを複合環境下で使用すると、オス端子とメス端子との間における電気接触の確実性に欠けるおそれがある。
【０００６】
本発明は、安価な構成でオス端子とメス端子との確実な電気接触を確保することができるようにすることを目的とする。
【課題を解決するための手段】
【０００７】
上記した目的を達成するために、本発明の電気コネクタは、板バネにより形成される対向面を有するメス端子をコネクタハウジング内に備え、前記対向面間にオス端子が挿入されて前記オス端子を前記対向面間に挟持する電気コネクタにおいて、前記対向面間の前記オス端子の挿入路が、直線状の前記オス端子の挿入方向に対して交差するように傾斜して形成されていることを特徴としている（請求項１）。
【０００８】
また、前記メス端子は、１枚の平板を折り曲げることにより、前記オス端子の挿入方向に直交する断面がコ字状を成すように形成されているとよい（請求項２）。
【発明の効果】
【０００９】
請求項１に係る発明によれば、メス端子の板バネによる対向面間のオス端子の挿入路が、直線状のオス端子の挿入方向に対して交差するように傾斜して形成されているため、オス端子のメス端子への接続時にオス端子を挿入路に沿うべく反り返らせるような板バネのバネ力がオス端子にかかり、これに伴ってオス端子の反りの反力がメス端子の対向面に作用して、メス端子のバネ力とオス端子の反力とが相俟って、より確実にメス端子の対向面でオス端子を挟持することが可能になり、メス端子を堅牢な箱型形状にする必要がなく低コストで形成することができ、安価な構成でオス端子とメス端子との確実な電気接触を確保することができる。
【００１０】
また、請求項２に係る発明によれば、１枚の平板から、より多くのメス端子を形成できるため、歩留まりの向上を図ることができる。
【図面の簡単な説明】
【００１１】
【図１】本発明に係る電気コネクタの一実施形態の断面図である。
【図２】図１のメス端子の展開図である。
【図３】図１のメス端子の変形例の展開図である。
【図４】図１のメス端子の他の変形例の断面図である。
【発明を実施するための形態】
【００１２】
本発明に係る電気コネクタの一実施形態について、図１および図２を参照して詳細に説明する。
【００１３】
本実施形態における電気コネクタは、図１に示すように、オス側ハウジング１に収容された長尺の薄板状のオス端子１ａと、メス側ハウジング２に収容されたメス端子２ａとを備える。
【００１４】
メス端子２ａは、図２に示すように、導電性を有する金属性平板を断面コ字状に折り曲げて成る天板２０ａ、側板２０ｂおよび底板２０ｃからなる端子本体２０と、天板２０ａの一端側に連続的に一体形成され両端が互いに接近するように折曲されて図示しないケーブルの導体にかしめられるワイヤバレル部２０ｄと、このワイヤバレル部２０ｄに連続的に一体形成され両端が互いに接近するように折曲されてケーブルの絶縁性の外被にかしめられるインシュレーションバレル部２０ｅと、天板２０ａの他端に延出して一体形成され先端が天板２０ａ側に折り返される上板バネ部２０ｆと、底板２０ｃａの他端に延出して一体形成され先端が底板２０ｃ側に折り返される下板バネ部２０ｇとを有する。
【００１５】
また、上板バネ部２０ｆには先端寄りの位置に屈曲線Ｌ１が形成され、下板バネ部２０ｇには底板２０ｃ寄りの位置に屈曲線Ｌ２が形成され、このように両板バネ部２０ｆ，２０ｇの屈曲線Ｌ１，Ｌ２の位置が異なることにより、図１に示すように、両板バネ部２０ｆ，２０ｇのほぼ平行に対向する対向面２０ｆ１，２０ｇ１の間に形成されるオス端子１ａの挿入路３が、挿入方向に伸びるオス端子１ａと同一面にはなく互いに所定の角度θで交差することになる。なお、挿入路３の幅、つまり対向面２０ｆ１，２０ｇ１の間隔は、オス端子１ａの厚みよりも小さくなるように設定される。
【００１６】
そして、図１（ａ）に示すように、オス側ハウジング１をメス側ハウジング２に嵌合し始めると、オス端子１ａがメス端子２ａの板バネ部２ｆ，２ｇの対向面２ｆ１，２ｇ１間の挿入路３に挿入されるが、挿入路３とオス端子１ａとが交差角度θで交差しているため、オス端子１ａ画の挿入が始まると、オス端子１ａによりメス端子２ａの両板バネ部２ｆ，２ｇがそれぞれ上、下に押し広げられるため、メス端子２ａの端子本体２０の天板２０ａおよび底板２０ｃがメス側ハウジング２の上下内壁に圧接されてメス端子２ａはメス側ハウジング２の内壁に拘束された状態となる。
【００１７】
さらに、図１（ｂ），（ｃ）に示すように両ハウジング１，２の嵌合をすすめるに連れて、特に同図（ｃ）に示すように、挿入路３を形成する対向面２０ｆ１，２０ｇ１の間隔がオス端子１ａの厚みにまで押し広げられる一方、オス端子１ａがメス端子２ａの対向面２０ｆ１，２０ｇ１によって挿入路３に沿うべく反り返るようなバネ力を受け、このバネ力によるオス端子１ａの反りの反力が、メス端子２ａの上板バネ部２０ｆの対向面２０ｆ１のケーブル接続側端部を上方向に持ち上げると同時に、下板バネ部２０ｇの対向面２０ｇ１のオス端子１ａ側端部を下方向に押し下げように作用し、これによりメス端子２ａのケーブル接続側が上方に持ち上げられオス端子１ａ側が下方に押し下げられるようにメス端子２ａが回動する。
【００１８】
やがて、図１（ｄ）に示すように、オス端子１ａの挿入が完了すると、両板バネ部２０ｆ,２０ｇの対向面２０ｆ１，２０ｇ１のバネ力とオス端子１ａの反りの反力とが相俟って、オス端子１ａがメス端子２ａの両板バネ部２０ｆ，２０ｇの対向面２０ｆ１，２０ｇ１に圧接した状態になり、オス端子１ａがメス端子２ａの対向面２０ｆ１，２０ｇ１で強固に挟持される。
【００１９】
なお、メス端子２ａの挿入路３のオス端子１ａに対する交差角度θは、上板バネ部２０ｆの屈曲線Ｌ１および下板バネ部２０ｇの屈曲線Ｌ２の位置を変えることによって適宜変更することができる。
【００２０】
したがって、上記した実施形態によれば、メス端子２ａの両板バネ部２０ｆ，２０ｇによる対向面２０ｆ１，２０ｇ１間の挿入路３が、直線状のオス端子１ａの挿入方向に対して交差するように傾斜して形成されているため、オス端子１ａのメス端子２ａへの接続時にオス端子１ａを挿入路３に沿うべく反り返らせるような板バネ部２０ｆ，２０ｇのバネ力がオス端子１ａにかかり、これによりオス端子１ａの反りの反力がメス端子２ａの対向面２０ｆ１，２０ｇ１に作用して、メス端子２ａのバネ力とオス端子１ａの反力とが相俟って、より確実にメス端子１ａの対向面２０ｆ１，２０ｇ１でオス端子１ａを挟持することが可能になり、メス端子２ａが低コストな断面コ字状であって堅牢な箱型形状ではない形状であっても、安価な構成でオス端子１ａとメス端子２ａとの確実な電気接触を確保することができる。
【００２１】
また、１枚の平板から、より多数の断面コ字状のメス端子２ａを形成できるため、歩留まりの向上を図ることができる。
【００２２】
なお、本発明は上記した実施形態に限定されるものではなく、その趣旨を逸脱しない限りにおいて上述したもの以外に種々の変更を行なうことが可能である。
【００２３】
例えば、上記した実施形態におけるメス端子２ａの変形例として、図３に示すように、メス端子が断面四角形状になるように、図２の天板２０ａ、側板２０ｂ、底板２０ｃにもう一つの側板２０ｈを加えた形状の平板を折り曲げてメス端子２ｂを形成するようにしてもよい。
【００２４】
また、メス端子２ａ，２ｂにおいて、両板バネ部２０ｆ，２０ｇの対向面２０ｆ１，２０ｇ１により形成される挿入路３として、図４（ａ）〜（ｃ）に示すように、種々の角度や形状の異なる挿入路３を形成するようにしてもよく、この場合、上記したように両板バネ部２０ｆ，２０ｇの屈曲線Ｌ１，Ｌ２の位置を変えることで対応することが可能である。
【符号の説明】
【００２５】
１ａ  …オス端子
２    …メス側ハウジング
２ａ  …メス端子
３    …挿入路
２０ｆ  …上板バネ部
２０ｇ  …下板バネ部
２０ｆ１，２０ｇ１  …対向面
【図１】
2015076341.tif 000003
【図２】
2015076341.tif 000004
【図３】
2015076341.tif 000005
【図４】
2015076341.tif 000006